(57)【要約】【課題】板材の角部を正確かつ容易に所望の位置で切断することができる手持ち工具を提供する。【解決手段】杆体１，２が軸部３によって回動自在に軸支されている。軸部３から一方の側には、片手で握ることのできる把持部４，５が延在しており、軸部３から他方の側は切断部６とされている。切断部６における杆体１の先端には、切断刃７が固定されており、切断部６における杆体２には切断刃７と歯合する位置に切断刃９が設けられている。切断刃７の両脇には、ストッパー１０ａ、１０ｂが垂設されている。【選択図】図１
2015083029.tif 000002
【特許請求の範囲】
【請求項１】
板材の角部を切断するための手持ち工具であって、
二本の杆体の中間部適所を回動自在に軸支する軸部と、該軸部の一方側にある該杆体の把持部と、該軸部の他方側にある該杆体の切断部とを備え、
前記切断部には、
該杆体の該軸部を軸とした回動によって互いに歯合する第１切断刃及び第２切断刃と、
該第１切断刃及び該第２切断刃が歯合していない状態において板材角部の一方の辺と当接する第１当接部と、該板材角部の他方の辺と当接する第２当接部とを有し、該両切断刃の間から前記板材の角部を所定長さだけ突出させるように案内する案内手段と、
が設けられた手持ち工具。
【請求項２】
前記第１当接部は前記板材角部の一方の辺と当接する第１当接面及を有し、前記第２当接部は前記板材角部の他方の辺と当接する第２当接面を有し、該両当接面によって該板材角部を該両切断刃の間から前記板材の角部を二等辺三角形の形状に突出させるように案内する請求項１に記載の手持ち工具。
【請求項３】
前記第１当接面と、前記第２当接面とがなす角度は直角である請求項２記載の手持ち工具。
【請求項４】
前記案内手段には、該板材角部の両辺を該第１当接部及び該第２当接部に当接させたときに該板材が当接から外れることを防止するためのカバーが設けられている請求項１乃至３のいずれか１項に記載の手持ち工具。
【請求項５】
前記第１切断刃及び前記第２切断刃は板材の角部を直線状に切断可能とされている請求項１乃至４のいずれか１項記載の手持ち工具。
【請求項６】
前記第１切断刃及び前記第２切断刃は板材の角部を円弧状に切断可能とされている請求項１乃至４のいずれか１項記載の手持ち工具。
【発明の詳細な説明】
【技術分野】
【０００１】
本発明は、板材の角部を所望の形状に切り落とすための手持ち工具に関する。
【背景技術】
【０００２】
板金加工においては、板材の角部による裂傷事故を防ぐ等の目的から、角部を三角形に切り落とす角取りを行ったり、丸くＲをつけた形状とするＲ取りを行ったりすることがある。これらの板材角部の成形において、所望の形状に成形するためには、板材を所定の位置に載置して切断やプレス打ち抜きを行なわなければならない。このため、非常に手間がかかるとともに、切断機やプレス加工機の設置のための設備費も高騰化するという問題があった。ＮＣコーナーシャー（例えば、特許文献１）を用いれば、作業効率を高めることはできるが、設備費はさらに高いものとなる。
このため、簡便な方法として、切断用の刃を備えた手持ち工具によって角部を切り落としたり、グラインダーで角部を削って丸くＲを付けたりすることも行われている。しかしながら、これらの方法では、所望の形状に正確に成形することは困難であった。
【先行技術文献】
【特許文献】
【０００３】
【特許文献１】特開平５−３３７７２８号公報
【発明の概要】
【発明が解決しようとする課題】
【０００４】
本発明は、上記従来の実情に鑑みてなされたものであり、板材の角部を正確かつ容易に所望の位置で切断することができる手持ち工具を提供することを目的とする。
【課題を解決するための手段】
【０００５】
本発明の第１の局面の手持ち工具は、板材の角部を切断するための手持ち工具であって、二本の杆体の中間部適所を回動自在に軸支する軸部と、該軸部の一方側にある該杆体の把持部と、該軸部の他方側にある該杆体の切断部とを備え、前記切断部には、該杆体の該軸部を軸とした回動によって互いに歯合する第１切断刃及び第２切断刃と、該第１切断刃及び該第２切断刃が歯合していない状態において板材角部の一方の辺と当接する第１当接部と、該板材角部の他方の辺と当接する第２当接部とを有し、該両切断刃の間から前記板材の角部を所定長さだけ突出させるように案内する案内手段とが設けられている。
【０００６】
この手持ち工具では、把持部の両杆体を手で広げることにより杆体が軸部を軸として回動し、切断部の第１切断刃及び第２切断刃の間が広がる。この状態において、板材の角部の一方の側面を第１当接部に当接させるとともに、板材角部の他方の側面を第２当接部に当接させることにより、両切断刃の間から前記板材の角部を所定長さだけ突出させる。そして、把持部の両杆体を手で握ることにより、第１切断刃及び第２切断刃が歯合して、両切断刃の間から所定長さで突出している板材の角部が切断される。
したがって、この手持ち工具によれば、板材角部を正確かつ容易に所望の位置で切断することができる。
【０００７】
本発明の第２の局面では、第１当接部は板材角部の一方の辺と当接する第１当接面及を有し、前記第２当接部は板材角部の他方の辺と当接する第２当接面を有し、該両当接面によって該板材角部を該両切断刃の間から前記板材の角部を二等辺三角形の形状に突出させるように案内するものとした。
こうであれば、把持部の両杆体を片手で広げた状態とし、もう一方の手で切断しようとする板材を持ち、その板材角部の一方の辺を第１当接面に当接させ、他方の辺を第２当接面と当接させながら把持部を握れば、所定の位置で第１切断刃及び第２切断刃が歯合し、板材の角部を二等辺三角形の形状で容易に切断することができる。
【０００８】
本発明の第３の局面では、本発明の第２の局面の発明において、第１当接面と、前記第２当接面とがなす角度は直角であるとした。こうであれば、板材角部が直角である場合に、板材の直角角部を直角二等辺三角形の形状で容易に切断することができる。
【０００９】
本発明の第４の局面では、前記案内手段には、該板材直角角部の両辺を該第１当接面及び該第２当接面に当接させたときに該板材が当接から外れることを防止するためのカバーが設けられていることとした。
こうであれば、切断時に板材が所定の位置からずれて、所定以外の位置で切断されることを防止できる。
【００１０】
本発明の第５の局面では、前記第１切断刃及び前記第２切断刃は板材の角部を直線状に切断可能とされていることとした。
こうであれば、両切断刃の間から２等辺三角形状に突出した板材の直角角部が直線状に切断されるため、角部を三角形に切り落とす角取りを容易に行うことができる。
【００１１】
本発明の第６の局面では、前記第１切断刃及び前記第２切断刃は板材の角部を円弧状に切断可能とされていることとした。
こうであれば、両切断刃の間から二等辺三角形状に突出した板材の直角角部が円弧状に切断されるため、角部を丸くＲをつけた形状とするＲ取りを容易に行うことができる。
【図面の簡単な説明】
【００１２】
【図１】実施例１の手持ち工具の斜視図である。
【図２】実施例１の手持ち工具に切断しようとする鋼板をセットした場合の斜視図である。
【図３】実施例１の手持ち工具の変形例の斜視図である。
【図４】実施例２の手持ち工具の斜視図である。
【図５】実施例２の手持ち工具に切断しようとする鋼板をセットした場合の斜視図である。
【図６】実施例２の手持ち工具の第１変形例の斜視図である。
【図７】実施例２の手持ち工具の第２変形例の斜視図である。
【図８】実施例３の手持ち工具の斜視図である。
【発明を実施するための形態】
【００１３】
以下、本発明を具体化した実施例を図面を参照しつつ説明する。
（実施例１）
実施例１の手持ち工具は、鋼板の角部の角取りを行うためのものであり、図１に示すように、二本の杆体１，２が軸部３によって回動自在に軸支されている。二本の杆体１，２において、軸部３から一方の側には、片手で握ることのできる把持部４，５が延在しており、軸部３から他方の側は切断部６とされている。切断部６における杆体１の先端には、高速度鋼からなる切断刃７が取り替え可能にネジ止めされている。また、切断部６における杆体２の先端には基台８が溶接によって固定されており、基台８には高速度鋼からなる切断刃９が切断刃７と歯合する位置に取り替え可能にネジ止めされている。切断刃９の刃先に近接する両脇には、円筒形状のストッパー１０ａ、１０ｂが基台８から垂設されている。ストッパー１０ａ、１０ｂの先端は切断刃９よりも高い位置とされている。ストッパー１０ａ、１０ｂが案内手段である。
【００１４】
次に、実施例１の手持ち工具の使用方法について説明する。
使用者は、まず手持ち工具の把持部４，５を片手で持ち、把持部４，５が互いに遠ざかる方向に広げる。これにより、切断刃７，９は互いに歯合しない状態となる。そして、もう一方の手で切断しようとする鋼板１１の角部の一方の辺をストッパー１０ａに、他方の辺をストッパー１０ｂに押し当てるようにして、鋼板１１の角部先端を切断刃７，９の刃先の位置よりも奥に挿入させる（図２参照）。そして、この状態を保持しつつ、把持部４，５を握ることにより、切断刃７，９が歯合し、鋼板１１の角部先端が三角形状に切断される。
なお、ストッパー１０ａ、１０ｂの下端に雄ねじを設け、基台８にストッパー１０ａ、１０ｂの雄ねじ部分と螺合する雌ねじを複数個所に設けておき、ストッパー１０ａ、１０ｂの立設する位置を変更可能としておくことも好ましい。こうであれば、鋼板１１の角部が切断刃７，８から突出する長さを調節することができるため、角取りにおいて切断される三角片の大きさを変えることができる。
【００１５】
以上のように、実施例１の手持ち工具では、切断しよう鋼板１１の角部をストッパー１０ａ、１０ｂに当接させながら把持部４，５を握るだけで、簡単に角取りを行うことができる。また、鋼板１１の角部が切断時に切断刃７，９から突出する長さは、ストッパー１０ａ、１０ｂによって制限されるため、いつも所定の位置で正確に切断することができる。さらには、切断機やプレス加工機などのように、動力を要する大型の機械を要することもないため、切断に要する経費も低廉となる。
【００１６】
（実施例１の変形例）
上記実施例１の手持ち工具において、切断刃７，９の刃先は鋼板の角部を直線状に切り落とすために平刃とされていたが、これを図３に示すように、中心角が９０度の円弧で角部を切断する丸刃４０，４１とすることもできる。こうであれば、実施例１と同様の操作により、鋼板の角部を容易にＲ取りすることができる。また、鋼板１１の角部が切断時に丸刃４０，４１から突出する長さは、ストッパー１０ａ、１０ｂによって制限されるため、いつも所定の位置で正確にＲ取りを行うことができる。さらには、切断機やプレス加工機などのように、動力を要する大型の機械を要することもないため、切断に要する経費も低廉となる。
【００１７】
（実施例２）
実施例２の手持ち工具は、鋼板の直角な角部の角取りを行うためのものであり、図４に示すように、切断刃９の刃先に近接する両脇には、直方体形状のストッパー２０、２１が軸部３と反対側にハの字に開くように対称の位置関係で基台８から垂直となるよう、図示しないねじによって固定されている。ストッパー２０、２１における切断刃９側の側面２０ａ及び側面２１ａのなす角は９０度とされており、ストッパー２０及びストッパー２１の高さは、切断刃９の上面９ａよりも高くされている。ストッパー２０、２１が案内手段であり、側面２０ａが第１当接面であり、側面２１ａが第２当接面である。その他の構成は図１に示す実施例１の手持ち工具と同様であり、同一の構成については同一の符号を付して詳細な説明を省略する。
【００１８】
次に、この手持ち工具の使用方法について説明する。
実施例１の手持ち工具の場合と同様にして、手持ち工具の把持部４，５を片手で持ち、把持部４，５が互いに遠ざかる方向に広げることにより、切断刃７，９を互いに歯合しない状態とする。そして、もう一方の手で切断しようとする鋼板１０１の直角角部をストッパー２０，２１の側面２０ａ，２１ａに当接させる。これにより、鋼板１０１の角部先端が切断刃７，９の刃先の位置よりも奥において直角二等辺三角形形状に突出する（図５参照）。そして、この状態を保持しつつ、把持部４，５を強く握ることにより、切断刃７，９が歯合し、鋼板１１の直角角部先端が直角二等辺三角形の形状で切断される。
なお、ストッパー２０，２１の基台８へのネジ止め位置を変更可能とすることが好ましい。こうであれば、鋼板１１の角部が切断刃７，８から突出する長さを調節することができるため、角取りにおいて切断される直角二等辺三角片の大きさを変えることができる。
【００１９】
以上のように、実施例２の手持ち工具では、鋼板１０１の角部をストッパー２０、２１の側面２０ａ，２１ａに当接させながら、把持部４，５を握るだけで、簡単に角取りを行うことができる。また、鋼板１０１の角部は、ストッパー２０、２１の側面２０ａ，２１ａに当接するため、実施例１の手持ち工具の場合よりも確実に所定の位置に案内され、ブレが少ない。しかも鋼板１０１は切断時に切断刃７，９から直角二等辺三角形の形状で左右均等に突出するため、切断された断片形状も常に同じ直角二等辺三角形の形状となり、実施例１よりもさらに正確に、直角二等辺三角形状の断片を切り落とすことができる。
【００２０】
（実施例２の変形例）
なお、実施例２の第１変形例として、図６に示すように、ストッパー３０、３１の上端をＬ字に折り曲げたカバー３０ａ、３１ａを設けてもよい。こうであれば、切断しようとする鋼板１０１をストッパー３０、３１に当接した場合に、当接が外れることを防止することができる。
また、実施例２の第２変形例として、図７に示すように、ストッパー３０、３１の上端どうしをカバー３２で覆った構造とすることもできる。こうであれば、切断しようとする鋼板１０１をストッパー３０、３１に当接させた場合に、当接が外れることをさらに確実に防止することができる。
【００２１】
（実施例３）
実施例３の手持ち工具は、鋼板の直角な角部の角取りを行うためのものであり、図８に示すように、基台８の側面にストッパー４０、４１がネジ止めされている。ネジ止めの位置は図中の矢印の方向に移動可能とされている。ストッパー４０、４１は互いに対面する方向にＬ字状に曲げられており、軸部３と反対側にハの字に開くようにされており、側面４０ａ及び側面４１ａは切断刃９の上面９ａに対して垂直とされている。ストッパー４０、４１における切断刃９側の側面４０ａ及び側面４１ａのなす角は９０度とされており、ストッパー４０及びストッパー４１の高さは、切断刃９の上面９ａよりも高くされている。ストッパー４０、４１が案内手段であり、側面４０ａが第１当接面であり、側面４１ａが第２当接面である。その他の構成は図１に示す実施例１の手持ち工具と同様であり、同一の構成については同一の符号を付して詳細な説明を省略する。
【００２２】
次に、この手持ち工具の使用方法について説明する。
実施例１の手持ち工具の場合と同様にして、手持ち工具の把持部４，５を片手で持ち、把持部４，５が互いに遠ざかる方向に広げることにより、切断刃７，９を互いに歯合しない状態とする。そして、もう一方の手で切断しようとする鋼板の直角角部をストッパー４０，４１の側面４０ａ，４１ａに当接させる。これにより、鋼板の角部先端が切断刃７，９の刃先の位置よりも奥で直角二等辺三角形形状で突出する。そして、この状態を保持しつつ、把持部４，５を強く握ることにより、切断刃７，９が歯合し、鋼板１１の直角角部先端が直角二等辺三角形の形状で切断される。
ストッパー４０，４１の基台８へのネジ止め位置を変更することにより、鋼板の角部が切断刃７，８から突出する長さを調節することができる。このため、角取りにおいて切断される直角二等辺三角片の大きさを変えることができる。また、ネジ止めのための雌ねじの位置を複数設けておくことにより、段階的に切断される直角二等辺三角片の大きさを変えることができる。これにより、角取りの種類であるＣ１（切断される直角二等辺三角片の直角をなす辺の長さが１ｍｍ）、Ｃ２（切断される直角二等辺三角片の直角をなす辺の長さが２ｍｍ）、Ｃ３（切断される直角二等辺三角片の直角をなす辺の長さが３ｍｍ）等の選択を容易に行うことができる
【００２３】
この発明は上記発明の実施の態様及び実施例の説明に何ら限定されるものではない。特許請求の範囲を逸脱せず、当業者が容易に想到できる範囲で種々の変形態様もこの発明に含まれる。
【産業上の利用可能性】
【００２４】
本発明の手持ち工具は、鋼板等の角部の角取りやＲ取りに好適に利用することができる。
【符号の説明】
【００２５】
１，２…杆体、３…軸部、４，５…把持部、６…切断部
７…切断刃（第１切断刃），９…切断刃（第２切断刃）
４０…丸刃（第１切断刃，４１…丸刃（第２切断刃）
１０ａ，１０ｂ，２０，２１，３０，３１…案内手段（１０ａ、２０，３０…ストッパー（第１当接部），１０ｂ，２１，３１…ストッパー（第２当接部））
２０ａ…側面（第１当接面）、２０ｂ…側面（第２当接面）
３２…カバー
【図１】
2015083029.tif 000003
【図２】
2015083029.tif 000004
【図３】
2015083029.tif 000005
【図４】
2015083029.tif 000006
【図５】
2015083029.tif 000007
【図６】
2015083029.tif 000008
【図７】
2015083029.tif 000009
【図８】
2015083029.tif 000010